(57)【要約】【課題】寸法精度が良好であり、容易に組み立てることが出来るとともに、保護回路基板を素電池の平面と略平行に配して収納するので、素電池の薄型化に対応可能であり、全体を薄型化することが出来る電池パックを提供する。【解決手段】外装ケース３は、平板部３１に、長辺側の側板部３２，３２と、一短辺側の側板部とが周設されてなる。外装ケース３の他短辺側には、段状に、側板部３３ｆと、これより高さが低い基板収納部３３とが設けられている。基板収納部３３は、下板部３３ａ、側板部３３ｂ，３３ｄ，３３ｄ、及び上板部３３ｃを備える。下板部３３ａには、各外部出力端子２３を表出させる窓部３３ｅを備える。組電池２は、側面に横設された保護回路基板２２が基板収納部３３に嵌入されて、外装ケース３に収納される。【選択図】図２
2007234550.tif 000002
【特許請求の範囲】
【請求項１】
角型平板状の素電池の一側面に、外部出力端子を有する保護回路基板を横設してなる組電池と、
該組電池を収納する外装ケースと、
前記組電池及び外装ケースの少なくとも一部に、貼付され、又は巻き付けられるラベルと
を備える電池パックにおいて、
前記外装ケースは、
矩形状の平板部の三方に側板部を周設し、残りの一方に前記保護回路基板を収納する基板収納部を設けてなり、
前記基板収納部は、底面に、前記外部出力端子を表出させる窓部を有することを特徴とする電池パック。
【請求項２】
前記基板収納部の高さは、該基板収納部が設けられている側板部の高さより低い請求項１に記載の電池パック。
【請求項３】
前記基板収納部の底面は、前記平板部に同一平面上で連なっている請求項１又は２に記載の電池パック。
【請求項４】
前記外装ケースの側板部の高さと前記組電池の厚みとは略同一であり、
前記ラベルは、少なくとも、前記外装ケースに収納された組電池の露出面に貼付され、又は巻き付けられている請求項１乃至３のいずれかに記載の電池パック。
【請求項５】
前記ラベルは、前記外装ケースの側板部に終端部が位置するように貼付され、又は巻き付けられている請求項１乃至４のいずれかに記載の電池パック。
【請求項６】
前記外装ケースの平板部の厚みは、０．３ｍｍ以下である請求項１乃至５のいずれかに記載の電池パック。
【請求項７】
前記基板収納部は、前記保護回路基板の外部出力端子を、該外部出力端子が設けられている面と反対側の面から支持するリブを備える請求項１乃至６のいずれかに記載の電池パック。
【請求項８】
前記基板収納部は、前記保護回路基板の面方向の動きを抑止するリブを備える請求項１乃至７のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等を絶縁体の外装ケースに収納した電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。
【０００３】
リチウムイオン二次電池においては、過充電及び過放電を防止するために一側面に電池電圧を制御するための保護回路基板が設けられており、これらを絶縁性の例えば合成樹脂製の外装ケースに収容した状態の電池パックとして電子機器に装着する。保護回路基板と電池との間は接続用のリード板により電気的に接続される。
【０００４】
特許文献１には、外装ケースを角型平板状の組電池の平面部と平行に上下に分割し、各々を一平面部が開口し、他平面部が有底である上側ケース、下側ケースとし、これらのケースに素電池を収納した後、両ケースを超音波溶着等の方法により接合して組み立てる電池パックの発明について開示されている。
【０００５】
図１２は、この特許文献１と同様の電池パックを示す分解斜視図であり、６１が電池パックである。
電池パック６１の組電池６２の素電池６２ａは、角型平板状であり、その内部に正極及び負極をセパレータを介して巻回した発電要素を含む非水電解質二次電池、具体的には例えばリチウムイオン二次電池等の二次電池であり、発電要素をアルミニウム又はアルミニウム合金製のケースに収納してなる。
組電池６２は、素電池６２ａの一端面に、保護回路基板６２ｂが横設されて構成される。保護回路基板６２ｂの表面には、過充電又は過放電等を防止するための保護回路６２ｃ，６２ｃが設けられ、素電池６２ａと電気的に接続するための正負の電極板が接続され（図示せず）、裏面には外部へ電力を取り出し、また逆に充電のために外部から電力を取り込むための外部出力端子６２ｄ，６２ｄ，６２ｄが金メッキにより設けられている。
外装ケースの下側ケース６３は、平板部６３ａに、長辺側の側板部６３ｂ，６３ｂと、短辺側の側板部６３ｃ，６３ｃとが周設されてなる。平板部６３ａには、外部出力端子６２ｄ，６２ｄ，６２ｄを表出させるための窓部６３ｄ，６３ｄ，６３ｄが設けられている。
上側ケース６４の平板部６４ａには、長辺側の側板部６４ｂ，６４ｂと、一短辺側の側板部６４ｃとが周設されている。上側ケース６４の他短辺側には、段状に、側板部６４ｈと、上板部６４ｅ、及び側板部６４ｆ，６４ｇ，６４ｇを備える基板収納部６４ｄとが設けられている。
電池パック６１は、下側ケース６３に、組電池６２を収納した後、上側ケース６４を被せ、超音波溶着により上側ケース６４と下側ケース６３とを接合して組み立てられる。
【０００６】
特許文献２には、外装ケースの有底面を開口して額縁状の下枠とし、上側ケースと組み合わせた後、ラベルを巻き付けて構成される電池パックの発明について開示されている。
特許文献３には、上側ケース及び下側ケースの有底面を開口して額縁状の上枠、下枠とし、これらを組み合わせた後、ラベルを巻き付けて構成される電池パックの発明について開示されている。
【０００７】
図１３は、この特許文献３と同様の電池パックを示す分解斜視図であり、７１が電池パックである。
組電池７２は、素電池７２ａの一端面に、保護回路基板７２ｂが横設されて構成される。保護回路基板７２ｂの表面には、過充電又は過放電等を防止するための保護回路７２ｃ，７２ｃが設けられており、素電池７２ａと電気的に接続するための正負の電極板が接続され（図示せず）、裏面には外部出力端子７２ｄ，７２ｄ，７２ｄが金メッキにより設けられている。
外装枠の下枠７３は、額縁状の底板部７３ａに、長辺側の側板部７３ｂ，７３ｂと、一短辺側の側板部７３ｃとが周設されてなる。下枠７３の他短辺側には、底板部７３ｅと、側板部７３ｆ，７３ｇ，７３ｇとを備える基板載置部７３ｄが設けられている。底板部７３ｅには、外部出力端子７２ｄ，７２ｄ，７２ｄを表出させるための窓部７３ｈ，７３ｈ，７３ｈが設けられている。
【０００８】
上枠７４は、額縁状の上板部７４ａに、長辺側の側板部７４ｂ，７４ｂと、一短辺側の側板部７４ｃとが周設されてなる。上枠７４の他短辺側には、段状に、側板部７４ｈと、上板部７４ｅ、及び側板部７４ｆ，７４ｇ，７４ｇを備える基板被覆部７４ｄとが設けられている。
電池パック７１は、下枠７３に、組電池７２を収納した後、上枠７４を被せ、超音波溶着により上枠７４と下枠７３とを接合して組み立てられる。
そして、組電池７２の両露出面、上枠７３の側板部７４ｂ，７４ｂ、及び下枠７３の側板部７３ｂ，７３ｂを覆うようにラベル７５が巻き付けられる。ラベル７５は、組電池７２の裏面側で二重に巻き付けられている。
【０００９】
特許文献４には、組電池の側面を覆う外装枠を組電池の平面に垂直な方向に左右に分割して、コの字状の右枠、左枠とし、これらを組電池に嵌めた後、ラベルを巻き付けて構成される電池パックの発明について開示されている。
特許文献５及び６には、額縁状をなす外装枠の上枠と下枠とを一体化させて組電池の側面を覆った後、又はコの字状をなす外装枠の右枠と左枠とを一体化させて組電池の側面を覆った後、ラベルを巻き付けて構成される電池パックの発明について開示されている。
特許文献７には、外装ケースを用いず、接続回路周辺部を低温成形樹脂でインサート成形した後、ラベルを貼付し、又は巻き付けて構成される電池パックの発明について開示されている。
また、特願２００４−３４９８４１号には、素電池の一端面に対向させて保護回路基板を配した組電池の下面をカバーする矩形の表面プレートの周囲に、組電池の外周を囲む矩形の枠体を一体的に成形してなり、一端面側の枠体を出力端子を表出させる連結枠とし、この連結枠に、保護回路基板を嵌入する嵌入部が設けられた外装ケースを備える電池パックの発明について記載されている。
【特許文献１】特開２００５−１９０８５２号公報
【特許文献２】特開２００５−１９０９５６号公報
【特許文献３】特開２００５−１００６８９号公報
【特許文献４】特開２００５−１３５７７０号公報
【特許文献５】特開２００４−３２７３７８号公報
【特許文献６】特開２００５−１５８４５２号公報
【特許文献７】特開２００３−２２９１０５号公報
【発明の開示】
【発明が解決しようとする課題】
【００１０】
特許文献１〜４の場合、いずれも２つの外装ケース又は外装枠を組み合わせるので、電池パックの寸法精度は、各外装ケース又は外装枠の寸法精度の累積となり、寸法精度の向上に限界があるという問題があった。また、電池パックの組み立てが煩雑であった。さらに、２つの外装ケース又は外装枠を組み合わせる方法として、超音波溶着、接着、及び係止ツメを用いる嵌合等があるが、それぞれ以下のような問題がある。
【００１１】
超音波溶着は、高価な設備と専用治具とを要し、量産開始に必要な初期コストが高いという短所がある。また、超音波エネルギーが、素電池及び接続回路上の電子部品に直接印加されると部品の損傷をもたらすことがあるので、上側ケースの平板側と組電池との間には、所定のクリアランスを設け、超音波エネルギーが直接印加されないようにする必要があり、電池パックの薄型化に限界があるという問題があった。
【００１２】
瞬間接着剤を用いる接着は、接着剤に添加されている乾燥剤の作用による白化により、外観不良が発生するという短所がある。その他の接着剤を用いる接着においては、固化時間が長く、工数が多いという問題がある。また、接着面で接着剤がはみ出し、外観不良が発生しやすいという問題がある。
【００１３】
係止ツメによる嵌合は、嵌合を強固にして、落下時の外れ、及び消費者による分解を防止するのが困難であるという問題がある。そのため、係止ツメによる嵌合のみで組み立てられることはなく、主にラベル巻き付けタイプの電池パックにおいて、ラベル貼付前の補助的嵌合として用いられている。
【００１４】
特許文献２〜７の電池パックは、いずれも組電池の周囲全周にラベルを巻き付けて構成されるが、このような構成の電池パックでは、組電池の表面が外部に露出することを防止するために、ラベルの終端側に二重又は三重の重ね合わせ部を設ける必要があり、この重ね合わせ部を設けると、重ね合わせ部の周囲に段差が生じるので、電池パックの外観品位を損ねるという問題があった。
【００１５】
特願２００４−３４９８４１号の発明においては、箱型に一体的に成形された外装ケースに組電池を嵌入するので、組電池の出力端子を外装ケースの定位置に簡易かつ容易に保持することが出来る。
ところで、薄型化技術の進歩により、素電池の厚みは略３ｍｍが可能となっており、このような素電池を用いることにより、電池パックの薄型化はさらに進行すると考えられる。そのためには、保護回路基板を配した組電池全体を薄型化する必要があるが、素電池を上述のように薄くした場合、保護回路基板を素電池の側面に縦置きに配すると、保護回路基板の高さが低くなり過ぎ、保護回路を構成するＩＣ、ＦＥＴ及び各種の電子部品を実装し、外部出力端子を設けることが出来なくなるという問題がある。すなわち、保護回路基板を縦置きにする電池パックにおいては、薄型化に限界があるという問題があり、特願２００４−３４９８４１号の発明は、保護回路基板を縦置きにする電池パックであるので、薄型化に限界がある。
【００１６】
本発明は、斯かる事情に鑑みてなされたものであり、矩形状の平板部に側板部を周設した箱体の一側板部に、保護回路基板を横状に収納する収納部を連設して外装ケースを構成することにより、寸法精度が良好であり、容易に組み立てることが出来るとともに、保護回路基板を素電池の平面と略平行に配して収納するので、素電池の薄型化に対応可能であり、全体を薄型化することが出来る電池パックを提供することを目的とする。
【００１７】
また、本発明は、ラベルを、少なくとも、外装ケースに収納された組電池の露出面に貼付し、又は巻き付けることにより、ラベルの重ね合わせ部がなく、電池パックの外観が良好である電池パックを提供することを目的とする。
【００１８】
そして、本発明は、外装ケースの平板部の厚みを０．３ｍｍ以下にすることにより、電池パックの厚みを、全周に亘ってラベルを巻き付けた従来品の厚みと同等以下にすることが出来る電池パックを提供することを目的とする。
【課題を解決するための手段】
【００１９】
第１発明に係る電池パックは、角型平板状の素電池の一側面に、外部出力端子を有する保護回路基板を横設してなる組電池と、該組電池を収納する外装ケースと、前記組電池及び外装ケースの少なくとも一部に、貼付され、又は巻き付けられるラベルとを備える電池パックにおいて、前記外装ケースは、矩形状の平板部の三方に側板部を周設し、残りの一方に前記保護回路基板を収納する基板収納部を設けてなり、前記基板収納部は、底面に、前記外部出力端子を表出させる窓部を有することを特徴とする。
【００２０】
本発明においては、外装ケースが、一体的に成形された箱体に基板収納部を連設してなり、電池パックの寸法精度が、この１部品からなる外装ケースの寸法精度と略等しくなるので、複数部品からなる外装ケースを有する電池パックと比較して向上する。また、外装ケースは一体的に成形された箱体であるので、組立工数を大幅に削減することが出来る。そして、外装ケースは、一体的に成形された箱体であるので、上述した２つの外装ケースを組み立てる場合に生じていた、電池パックの薄型化の限界、外観不良、及び外装ケースの分解のおそれという問題が生じない。
さらに、本発明においては、保護回路基板を素電池の平面と略平行に配して収納するので、素電池が薄型化にされた場合においても、保護回路基板に問題なく、電子部品を実装し、外部出力端子を設けることが出来、電池パックを薄型化することが出来る。
【００２１】
第２発明に係る電池パックは、第１発明において、前記基板収納部の高さは、該基板収納部が設けられている側板部の高さより低いことを特徴とする。
【００２２】
本発明においては、基板収納部の上下寸法が他側板部の上下寸法より短いので、保護回路基板が基板収納部内で安定的に保持され、組電池の外装ケースからの位置ずれが防止される。
【００２３】
第３発明に係る電池パックは、第１又は第２発明において、前記基板収納部の底面は、前記平板部に同一平面上で連なっていることを特徴とする。
【００２４】
本発明においては、基板収納部の底面が平板部と同一平面上にあり、外部出力端子を表出させる窓部が電池パックの底面にあるので、外部機器の電池パックを収容する部分の形状が簡単になり、電力の取り出し又は取り込みが容易になる。
【００２５】
第４発明に係る電池パックは、第１乃至第３発明のいずれかにおいて、前記外装ケースの側板部の高さと前記組電池の厚みとは略同一であり、前記ラベルは、少なくとも、前記外装ケースに収納された組電池の露出面に貼付され、又は巻き付けられていることを特徴とする。
【００２６】
本発明においては、外装ケースが平板部に側板部を周設した箱体であり、ラベルを全周に亘って該平板部に貼付し、又は巻き付ける必要がなく、ラベルは組電池の露出面を覆った状態で、外装ケースの側板部に掛かるか、又は該側板部を介し平板部に掛かっていればよい。従って、ラベルの重ね合わせ部がなくなり、電池パックの外観を損ねることがない。
【００２７】
第５発明に係る電池パックは、第１乃至第４発明のいずれかにおいて、前記ラベルは、前記外装ケースの側板部に終端部が位置するように貼付され、又は巻き付けられていることを特徴とする。
【００２８】
本発明においては、電池パックの裏面は外装ケースのみとなり、電池パックの外観品位が良好である。
【００２９】
第６発明に係る電池パックは、第１乃至第５発明のいずれかにおいて、前記外装ケースの平板部の厚みは、０．３ｍｍ以下であることを特徴とする。
【００３０】
ラベルの厚みは０．１〜０．１５ｍｍであり、本発明においては、外装ケースの厚みを０．３ｍｍ以下にしているので、外装ケースの厚みがラベル２枚分の厚みと略同等、又はそれ以下となり、電池パックの厚みを、全周に亘ってラベルを巻き付けた従来品の厚みと同等以下にすることが出来る。
【００３１】
第７発明に係る電池パックは、第１乃至第６発明のいずれかにおいて、前記基板収納部は、前記保護回路基板の外部出力端子を、該外部出力端子が設けられている面と反対側の面から支持するリブを備えることを特徴とする。
【００３２】
本発明においては、保護回路基板に設けた外部出力端子を安定的に保持することが出来る。
【００３３】
第８発明に係る電池パックは、第１乃至第７発明のいずれかにおいて、前記基板収納部は、前記保護回路基板の面方向の動きを抑止するリブを備えることを特徴とする。
【００３４】
本発明においては、保護回路基板を安定的に保持することが出来る。
【発明の効果】
【００３５】
本発明によれば、外装ケースが、一体的に成形された箱体に収納部を設けてなり、電池パックの寸法精度が、この１部品からなる外装ケースの寸法精度と略等しくなるので、複数部品からなる外装ケースを有する電池パックと比較して向上する。また、外装ケースが一体的に成形された箱体であるので、組立工数を大幅に削減することが出来る。そして、外装ケースは、一体的に成形された箱体であるので、従来、２つの外装ケースを組み立てる場合に生じていた、電池パックの薄型化の限界、外観不良、及び外装ケースの分解のおそれという問題が生じない。
さらに、本発明によれば、保護回路基板を素電池の平面と略平行に配して収納しているので、素電池が薄型化にされた場合においても、保護回路基板に問題なく、電子部品を実装し、外部出力端子を設けることが出来、電池パックを薄型化することが出来る。
【００３６】
また、本発明によれば、ラベルを、少なくとも、外装ケースに収納された組電池の露出面に貼付し、又は巻き付けるので、ラベルの重ね合わせ部がなくなり、電池パックの外観が良好である。
【００３７】
そして、本発明によれば、外装ケースの平板部の厚みが０．３ｍｍ以下であるので、電池パックの厚みを、全周に亘ってラベルを巻き付けた従来品の厚みと同等以下にすることが出来る。
【発明を実施するための最良の形態】
【００３８】
以下本発明をその実施の形態を示す図面に基づき具体的に説明する。
実施の形態１．
図１は、本発明の実施の形態１に係る電池パック１を示す斜視図、図２は、電池パック１を裏側から見た場合の分解斜視図、図３は、電池パック１を表側から見た場合の分解斜視図、図４は、図１のIV−IV線断面図である。
【００３９】
電池パック１の組電池２の素電池２１は、角型平板状であり、その内部に正極及び負極をセパレータを介して巻回した発電要素を含む非水電解質二次電池、具体的には例えばリチウムイオン二次電池等の二次電池であり、発電要素をアルミニウム又はアルミニウム合金製のケースに収納してなる。
組電池２は、素電池２１の一端面に、保護回路基板２２が横設されて構成される。保護回路基板２２の基板２２ａの表面には、過充電又は過放電等を防止するための保護回路２４，２４が設けられ、素電池２１と電気的に接続するための正負の電極板２５，２５が接続され、電極板２５，２５は各々リード板２６，２６を介し素電池２１に接続されている。基板２２ａの裏面には外部へ電力を取り出し、また逆に充電のために外部から電力を取り込むための外部出力端子２３，２３，２３が金メッキにより設けられている。
【００４０】
外装ケース３は、全体を合成樹脂製で一体的に成形して製造される。合成樹脂としては、例えばＰＣ（ポリカーボネート）が挙げられる。外装ケース３は、平板部３１に、長辺側の側板部３２，３２と、一短辺側の側板部３４とが周設されてなる。外装ケース３の他短辺側には、段状に、側板部３３ｆと、これより高さが低く、外装ケース３の長手方向に突出した基板収納部３３とが設けられている。基板収納部３３は、下板部３３ａ、側板部３３ｂ，３３ｄ，３３ｄ、及び上板部３３ｃを備える。
平板部３１の厚みは、０．３ｍｍ以下にされている。側板部３２，３２，３４及び３３ｆの高さは、組電池２の厚みと略同一である。
【００４１】
下板部３３ａは、平板部３１に連設されており、外部出力端子２３，２３，２３を表出させるための窓部３３ｅ，３３ｅ，３３ｅが設けられている。
上板部３３ｃの略中央部には、保護回路基板２２を支持するためのリブ３３ｈが垂設されており、下板部３３ａの両端側には保護回路基板２２の面方向の動きを抑止するためのリブ３３ｉ，３３ｉが設けられている。
側板部３２，３２，３４の上部には、周縁部３６が設けられており、側板部３３ｆの上端には他の周縁部３６より幅が大きい、ひさし部３３ｇが横設されている。
以上のように、外装ケース３は構成され、一体的に成形されているので、電池パック１の組立工数は大幅に削減される。
【００４２】
ラベル４は、矩形の平面部４１と、長辺側の側部４２，４２と、側部４２，４２に連設された折り曲げ端部４３，４３と、背部４４と、背部４４に連設された折り曲げ端部４５とを備える。
【００４３】
本実施形態の電池パック１においては、保護回路基板２２を、リブ３３ｉ，３３ｉ間に嵌め入れた状態で、基板収納部３３に挿入して、組電池２を外装ケース３に収納する。保護回路基板２２の表面がリブ３３ｈにより支持され、裏面に設けられた外部出力端子２３，２３，２３が支持されるので、外部出力端子２３，２３，２３は基板収納部３３内で安定的に保持される。保護回路基板２２の外部出力端子２３，２３，２３は、窓部３３ｅ，３３ｅ，３３ｅから表出する。
【００４４】
組電池２を外装ケース３に組み入れた後、ラベル４の平面部４１を素電池２１の表面に貼付し、側部４２，４２を外装ケース３の側板部３２，３２に沿わせ、折り曲げ端部４３，４３を平板部３１の裏面の端部に沿わせて貼付し、さらに背部４３を側板部３４に沿わせ、折り曲げ端部４５を平板部３１の端部に沿わせて貼付することで、ラベル４が組電池２及び外装ケース３に巻き付けられる。
【００４５】
本実施形態においては、外装ケース３が、一体的に成形された箱体に基板収納部３３を連設して構成されているので、電池パック１の寸法精度は、この１部品からなる外装ケース３の寸法精度と略等しくなり、複数部品からなる外装ケースを有する電池パックと比較して向上している。
そして、本実施形態においては、保護回路基板２２を基板収納部３３内で安定的に定位置に保持することが出来、組電池２と外装ケース３との位置がずれることなく、組電池２が外装ケース３から抜けることなく、組電池２を外装ケース３に収納することが出来る。
【００４６】
さらに、本実施形態においては、保護回路基板２２を素電池２１の平面に略平行に配した状態で収納するので、素電池２１が薄型化された場合においても、保護回路基板２２に問題なく、電子部品を実装し、外部出力端子２３，２３，２３を設けることが出来、電池パック１を薄型化することが出来る。
【００４７】
実施の形態２．
図５は、本発明の実施の形態２に係る電池パック１０を示す斜視図、図６は、電池パック１０を裏側から見た場合の分解斜視図である。図中、図１の電池パックと同一部分は同一符号を付してある。
【００４８】
電池パック１０の外装ケース３の平板部３１の厚みは０．２５ｍｍにしている。
また、電池パック１０のラベル５は、矩形の平面部５１と、長辺側の側部５２，５２と、背部５３とを備える。ラベル５は、ラベル４における折り曲げ端部４３，４４を有しない。
【００４９】
本実施形態においては、実施の形態１と同様に、外装ケース３に組電池２に組み入れた後、ラベル５の平面部５１を素電池２１の表面に貼付し、側部５２，５２を外装ケース３の側板部３２，３２に沿わせ、さらに背部５３を側板部３４に沿わせて貼付する。
【００５０】
以上のように、本実施形態においては、ラベル５は、外装ケース３の側板部３２，３２，３４に終端部が位置するように貼付されている。
外装ケース３は箱体であるので、ラベル５を組電池２及び外装ケース３の全周に亘って貼付する必要がなく、ラベル５は組電池２の表面を覆った状態で、外装ケース３の側板部３２，３２，３４に掛かっていればよい。従って、ラベル５の重ね合わせ部がなくなり、電池パック１０の外観が良好である。
そして、平板部３１の厚みを０．２５ｍｍにしており、厚みが略０．１３ｍｍであるラベル５を２枚重ね合わせた場合の厚みより薄くなっている。従って、電池パック１０の厚みを、全周に亘ってラベルを巻き付け、外装ケースの裏面で重ね合わせた従来品の厚みと比較して薄くすることが出来る。
なお、平板部３１及びラベル５の厚みは上述の場合に限定されるものではなく、ラベル５の厚みが略０．１ｍｍである場合、平板部３１の厚みを０．２ｍｍにする等、種々の設計変更が可能である。ラベルの厚みは略０．１〜０．１５ｍｍであるので、平板部３１の厚みはラベルの厚みの２倍以下にすればよい。
【００５１】
実施の形態３．
図７は、本発明の実施の形態３に係る電池パック１１を示す斜視図である。
電池パック１１の外装ケース１３の一短辺側には、段状に、側板部１３ｆと、これより高さが低く、外装ケース１３の長手方向に突出した基板収納部１３ａとが設けられている。基板収納部１３ａは、下板部１３ｂ、側板部１３ｃ，１３ｄ，１３ｄ、及び上板部（図示せず）を備える。
基板収納部１３ａの幅は、側板部１３ｆの幅より小さく、組電池の保護回路基板の幅と一致されている。
【００５２】
本実施形態においては、基板収納部１３ａの幅を保護回路基板の幅と一致させているので、実施の形態１の電池パック１のように、基板収納部３３にリブ３３ｉ，３３ｉを設けなくても、保護回路基板を基板収納部１３ａに安定的に定位置に保持することが出来、組電池が外装ケース１３に固定され、組電池が外装ケース１３から抜け落ちることがない。
【００５３】
実施の形態４．
図８は、本発明の実施の形態４に係る電池パックの外装ケース１４を示す側面図である。
箱体状の外装ケース１４の一辺側には、基板収納部１４ａが設けられている。基板収納部１４ａの側板部１４ｂの上下寸法は、外装ケース１４の他の側板部の上下寸法と同一である。側板部１４ｂの上端部には、該側板部１４ｂに垂直な方向に、収納される保護回路基板を覆うように内側に延びる上板部１４ｃが連設されている。
本実施形態の場合、上板部１４ｃに、保護回路基板の外部出力端子を、該外部出力端子が設けられている面と反対側の面から支持するリブを設けるのが好ましい。そして、保護回路基板の面方向の動きを抑制するリブを、上板部１４ｃに垂設し、若しくは下面に立設し、又は上板部１４ｃから下面まで連続させて設けるのが好ましい。
【００５４】
実施の形態５．
図９は、本発明の実施の形態５に係る電池パックの外装ケース１５を示す側面図である。
箱体状の外装ケース１５の一辺側の上部には、基板収納部１５ａが設けられている。基板収納部１５ａの側板部１５ｂの上下寸法は、外装ケース１５の他の側板部の上下寸法より短く、下板部１５ｃの高さは外装ケース１５の底面部の高さより高い。側板部１５ｂの上端部には、該側板部１５ｂに垂直な方向に、収納される保護回路基板を覆うように内側に延びる上板部１５ｄが連設されている。
本実施形態の場合、上板部１５ｄに、保護回路基板の外部出力端子を、該外部出力端子が設けられている面と反対側の面から支持するリブを設けるのが好ましい。そして、保護回路基板の面方向の動きを抑制するリブを、上板部１５ｄに垂設し、若しくは下板部１５ｃに立設し、又は上板部１５ｄから下板部１５ｃまで連続させて設けるのが好ましい。
【００５５】
実施の形態６．
図１０は、本発明の実施の形態６に係る電池パックの外装ケース１６を示す側面図である。
箱体状の外装ケース１６の一辺側の略中央部には、基板収納部１６ａが設けられている。基板収納部１６ａの側板部１６ｂの上下寸法は、外装ケース１６の上下寸法より短い。下板部１６ｃの高さは外装ケース１６の底面部の高さより高く、上板部１６ｄの高さは、外装体１６の開口面の高さより低い。
本実施形態の場合、上板部１６ｄに、保護回路基板の外部出力端子を、該外部出力端子が設けられている面と反対側の面から支持するリブを設けるのが好ましい。そして、保護回路基板の面方向の動きを抑制するリブを、上板部１６ｄに垂設し、若しくは下板部１６ｃに立設し、又は上板部１６ｄから下板部１６ｃまで連続させて設けるのが好ましい。
【００５６】
実施の形態７．
図１１は、本発明の実施の形態７に係る電池パックの外装ケース１７を示す側面図である。
外装ケース１７の一辺側には、基板収納部１７ａが設けられている。基板収納部１７ａの側板部１７ｂの上下寸法は、外装ケース１７の他の側板部の上下寸法より短く、基板収納部１７ａの上板部１７ｃは、傾斜した状態で設けられている。
本実施形態の場合、上板部１７ｃに、保護回路基板の外部出力端子を、該外部出力端子が設けられている面と反対側の面から支持するリブを設けるのが好ましい。そして、保護回路基板の面方向の動きを抑制するリブを、上板部１７ｃに垂設し、若しくは下面に立設し、又は上板部１７ｃから下面まで連続させて設けるのが好ましい。
なお、上板部１７ｃは、側面視が円弧状であってもよい。
【００５７】
本発明の電池パックの外装ケースは、前記実施の形態１乃至７において説明した場合に限定されず、電池パックにおける外部出力端子の配置等に合わせて、種々の設計変更が可能である。例えば、基板収納部の設置部分が段状をなす場合、側板部を斜面としてもよい。
【図面の簡単な説明】
【００５８】
【図１】本発明の実施の形態１に係る電池パックを示す斜視図である。
【図２】実施の形態１に係る電池パックを裏側から見た場合の分解斜視図である。
【図３】実施の形態１に係る電池パックを表側から見た場合の分解斜視図である。
【図４】図１のIV−IV線断面図である。
【図５】本発明の実施の形態２に係る電池パックを示す斜視図である。
【図６】実施の形態２に係る電池パックを裏側から見た場合の分解斜視図である。
【図７】本発明の実施の形態３に係る電池パックを示す斜視図である。
【図８】本発明の実施の形態４に係る電池パックの外装ケースを示す側面図である。
【図９】本発明の実施の形態５に係る電池パックの外装ケースを示す側面図である。
【図１０】本発明の実施の形態６に係る電池パックの外装ケースを示す側面図である。
【図１１】本発明の実施の形態７に係る電池パックの外装ケースを示す側面図である。
【図１２】特許文献１と同様の電池パックを示す分解斜視図である。
【図１３】特許文献３と同様の電池パックを示す分解斜視図である。
【符号の説明】
【００５９】
１、１０、１１、  電池パック
２  組電池
２１  素電池
２２  保護回路基板
２３  外部出力端子
２４  保護回路
２５  電極
３、１３、１４、１５、１６、１７  外装ケース
３１  平板部
３２、３４  側板部
３３、１３ａ、１４ａ、１５ａ、１６ａ、１７ａ  基板収納部
３３ａ、１３ｂ、１５ｃ、１６ｃ  下板部
３３ｂ、３３ｄ、３３ｆ、１３ｃ、１３ｄ、１３ｆ、１４ｂ、１５ｂ、１６ｂ、１７ｂ  側板部
３３ｃ、１４ｃ、１５ｄ、１６ｄ、１７ｃ  上板部
３３ｅ、１３ｅ  窓部
３３ｈ、３３ｉ  リブ
３３ｇ  ひさし部
４、５  ラベル
４１、５１  平面部
４２、５２  側部
４３、４５  折り曲げ端部
４４、５３  背部
【図１】
2007234550.tif 000003
【図２】
2007234550.tif 000004
【図３】
2007234550.tif 000005
【図４】
2007234550.tif 000006
【図５】
2007234550.tif 000007
【図６】
2007234550.tif 000008
【図７】
2007234550.tif 000009
【図８】
2007234550.tif 000010
【図９】
2007234550.tif 000011
【図１０】
2007234550.tif 000012
【図１１】
2007234550.tif 000013
【図１２】
2007234550.tif 000014
【図１３】
2007234550.tif 000015